【手続補正書】
【提出日】平成16年3月2日(2004.3.2)
【手続補正１】
【補正対象書類名】明細書
【補正対象項目名】特許請求の範囲
【補正方法】変更
【補正の内容】
【特許請求の範囲】
【請求項１】
原稿のカラー画像を読取って入力された第１のカラー画像データから前記原稿の色特徴を抽出する色特徴抽出手段と、
この色特徴抽出手段で抽出された色特徴から前記原稿に対してモノクロ画像として出力すべき原稿であるかカラー画像として出力すべき原稿であるかを判定する原稿種別判定手段と、
この原稿種別判定手段でモノクロ画像として出力すべき原稿であると判定された場合は、前記画像読取手段から出力される第１のカラー画像データをモノクロ画像データとして出力し、前記原稿種別判定手段でカラー画像として出力すべき原稿であると判定された場合は、前記画像読取手段から出力される第１のカラー画像データを所定の色成分に対応した第２のカラー画像データとして出力する出力色決定手段と、
を具備したことを特徴とする画像処理装置。
【請求項２】
前記色特徴抽出手段は、前記画像読取手段から出力される第１のカラー画像データを多値化画像信号に変換する多値化手段と、この多値化手段から得られる多値化画像信号から前記原稿の色特徴を表わす濃度ヒストグラム情報を作成するヒストグラム作成手段とからなり、
前記原稿種別判定手段は、前記ヒストグラム作成手段で作成された濃度ヒストグラム情報の分布から前記原稿がモノクロ画像として出力すべき原稿であるかカラー画像として出力すべき原稿であるかを判定することを特徴とする請求項１記載の画像処理装置。
【請求項３】
前記色特徴抽出手段は、前記画像読取手段から出力される第１のカラー画像データを多値化画像信号に変換する多値化手段と、この多値化手段から得られる多値化画像信号からカラーの各チャンネルごとに前記原稿の色特徴を表わす濃度ヒストグラム情報を作成するヒストグラム作成手段とからなり、
前記原稿種別判定手段は、前記ヒストグラム作成手段で作成された各チャンネルごとの濃度ヒストグラム情報の分布の相関から前記原稿がモノクロ画像として出力すべき原稿であるかカラー画像として出力すべき原稿であるかを判定することを特徴とする請求項１記載の画像処理装置。
【請求項４】
前記出力色決定手段は、前記画像読取手段から出力される第１のカラー画像データを所定の色成分に対応した第２のカラー画像データに変換する色変換手段と、前記画像読取手段から出力される第１のカラー画像データをモノクロ画像データを生成するモノクロ生成手段と、前記原稿種別判定手段でモノクロ画像として出力すべき原稿であると判定された場合は前記モノクロ生成手段で生成されたモノクロ画像データを選択し、前記原稿種別判定手段でカラー画像として出力すべき原稿であると判定された場合は前記色変換手段から出力される第２のカラー画像データを選択する選択手段とからなることを特徴とする請求項１記載の画像処理装置。
【請求項５】
原稿のカラー画像を読取って入力された第１のカラー画像データから前記原稿の色特徴を抽出する色特徴抽出手段と、
この色特徴抽出手段で抽出された色特徴から前記原稿がモノクロ原稿であるか白色と特定の１色とからなるカラー原稿であるかフルカラー原稿であるかを判定する原稿種別判定手段と、
この原稿種別判定手段でモノクロ原稿または白色と特定の１色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段と、
を具備したことを特徴とする画像処理装置。
【請求項６】
原稿のカラー画像を読取って入力された第１のカラー画像データから前記原稿の色特徴を抽出する色特徴抽出手段と、
この色特徴抽出手段で抽出された色特徴から前記原稿がモノクロ原稿であるか黒色と用紙色とからなるカラー原稿であるかフルカラー原稿であるかを判定する原稿種別判定手段と、
この原稿種別判定手段でモノクロ原稿または黒色と用紙色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段と、
を具備したことを特徴とする画像処理装置。
【請求項７】
原稿のカラー画像を読取って入力された第１のカラー画像データから前記原稿の色特徴を抽出する色特徴抽出手段と、
この色特徴抽出手段で抽出された色特徴から前記原稿がモノクロ原稿であるか白色と特定の１色とからなるカラー原稿であるかフルカラー原稿であるかを判定する原稿種別判定手段と、
この原稿種別判定手段でモノクロ原稿であると判定された場合は、前記画像読取手段から出力される第１のカラー画像データをモノクロ画像データとして出力し、前記原稿種別判定手段で白色と特定の１色とからなるカラー原稿であると判定された場合は、前記画像読取手段から出力される第１のカラー画像データを白色と特定の１色とからなる第２のカラー画像データとして出力し、前記原稿種別判定手段でフルカラー原稿であると判定された場合は、前記画像読取手段から出力される第１のカラー画像データを所定の色成分に対応した第３のカラー画像データとして出力する出力色決定手段と、
を具備したことを特徴とする画像処理装置。
【請求項８】
原稿のカラー画像を読取って入力された第１のカラー画像データから前記原稿の色特徴を抽出する色特徴抽出手段と、
この色特徴抽出手段で抽出された色特徴から前記原稿がモノクロ原稿であるか黒色と用紙色とからなるカラー原稿であるかフルカラー原稿であるかを判定する原稿種別判定手段と、
この原稿種別判定手段でモノクロ原稿であると判定された場合は、前記画像読取手段から出力される第１のカラー画像データをモノクロ画像データとして出力し、前記原稿種別判定手段で黒色と用紙色とからなるカラー原稿であると判定された場合は、前記画像読取手段から出力される第１のカラー画像データを黒色と用紙色とからなる第２のカラー画像データとして出力し、前記原稿種別判定手段でフルカラー原稿であると判定された場合は、前記画像読取手段から出力される第１のカラー画像データを所定の色成分に対応した第３のカラー画像データとして出力する出力色決定手段と、
を具備したことを特徴とする画像処理装置。
【請求項９】
原稿のカラー画像を読取って入力された第１のカラー画像データから、その第１のカラー画像データが文字領域か非文字領域かを判定する機能と下地領域か非下地領域かを判定する機能の少なくとも一方を有する領域判定手段と、
この領域判定手段で判定された領域ごとに前記原稿の色特徴を表わす濃度ヒストグラム情報を作成するヒストグラム作成手段と、
このヒストグラム作成手段で作成された濃度ヒストグラム情報の分布から前記原稿がモノクロ画像として出力すべき原稿であるかカラー画像として出力すべき原稿であるかを判定する原稿種別判定手段と、
この原稿種別判定手段でモノクロ画像として出力すべき原稿であると判定された場合は、前記画像読取手段から出力される第１のカラー画像データをモノクロ画像データとして出力し、前記原稿種別判定手段でカラー画像として出力すべき原稿であると判定された場合は、前記画像読取手段から出力される第１のカラー画像データを所定の色成分に対応した第２のカラー画像データとして出力する出力色決定手段と、
を具備したことを特徴とする画像処理装置。
【請求項１０】
原稿のカラー画像を読取って入力された第１のカラー画像データ、その第１のカラー画像データが文字領域か非文字領域かを判定する機能と下地領域か非下地領域かを判定する機能の少なくとも一方を有する領域判定手段と、
この領域判定手段で判定された領域ごとに前記原稿の色特徴を表わす濃度ヒストグラム情報を作成するヒストグラム作成手段と、
このヒストグラム作成手段で作成された濃度ヒストグラム情報の分布から前記原稿がモノクロ原稿であるか白色と特定の１色とからなるカラー原稿であるかフルカラー原稿であるかを判定する原稿種別判定手段と、
この原稿種別判定手段でモノクロ原稿または白色と特定の１色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段と、
を具備したことを特徴とする画像処理装置。
【請求項１１】
原稿のカラー画像を読取って入力された第１のカラー画像データから、その第１のカラー画像データが文字領域か非文字領域かを判定する機能と下地領域か非下地領域かを判定する機能の少なくとも一方を有する領域判定手段と、
この領域判定手段で判定された領域ごとに前記原稿の色特徴を表わす濃度ヒストグラム情報を作成するヒストグラム作成手段と、
このヒストグラム作成手段で作成された濃度ヒストグラム情報の分布から前記原稿がモノクロ原稿であるか黒色と用紙色とからなるカラー原稿であるかフルカラー原稿であるかを判定する原稿種別判定手段と、
この原稿種別判定手段でモノクロ原稿または黒色と用紙色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段と、
を具備したことを特徴とする画像処理装置。
【請求項１２】
原稿のカラー画像を読取って入力された第１のカラー画像データから、その第１のカラー画像データが下地領域か非下地領域かを判定する領域判定手段と、
この領域判定手段で判定された領域ごとに前記原稿の色特徴を表わす濃度ヒストグラム情報を作成するヒストグラム作成手段と、
このヒストグラム作成手段で作成された濃度ヒストグラム情報の分布から前記原稿がモノクロ原稿であるか白色と特定の１色とからなるカラー原稿であるかフルカラー原稿であるかを判定する原稿種別判定手段と、
前記ヒストグラム作成手段で作成された濃度ヒストグラム情報から前記原稿中の色を識別する色識別手段と、
前記画像読取手段から出力される第１のカラー画像データを所定の色成分に対応した第２のカラー画像データに変換する色変換手段と、
前記画像読取手段から出力される第１のカラー画像データをモノクロ画像データを生成するモノクロ生成手段と、
前記色識別手段の識別結果により前記色変換手段から出力される第２のカラー画像データまたは前記モノクロ生成手段から出力されるモノクロ画像データを選択する第１の選択手段と、
前記原稿種別判定手段でモノクロ原稿であると判定された場合は、前記モノクロ生成手段から出力されるモノクロ画像データを選択し、前記原稿種別判定手段で白色と特定の１色とからなるカラー原稿であると判定された場合は、前記色選択手段の出力を選択し、前記原稿種別判定手段でフルカラー原稿であると判定された場合は、前記色変換手段から出力される第２のカラー画像データを選択する第２の選択手段と、
を具備したことを特徴とする画像処理装置。
【請求項１３】
前記色識別手段の識別結果に基づき第３のカラー画像データを生成する色生成手段を具備していることを特徴とする請求項１２記載の画像処理装置。
【請求項１４】
原稿のカラー画像を読取って入力された第１のカラー画像データから、その第１のカラー画像データが下地領域か文字領域か写真領域かを判定する領域判定手段と、
この領域判定手段で判定された領域ごとに前記原稿の色特徴を表わす濃度ヒストグラム情報を作成するヒストグラム作成手段と、
このヒストグラム作成手段で作成された濃度ヒストグラム情報の分布から前記原稿がモノクロ原稿であるか白色と特定の１色とからなるカラー原稿であるかフルカラー原稿であるかを判定する機能及び黒色と用紙色とからなるカラー原稿であるかフルカラー原稿であるかを判定する機能の少なくとも一方を有する原稿種別判定手段と、
前記ヒストグラム作成手段で作成された濃度ヒストグラム情報から前記原稿中の色を識別する色識別手段と、
前記画像読取手段から出力される第１のカラー画像データを所定の色成分に対応した第２のカラー画像データに変換する色変換手段と、
前記色識別手段の識別結果に基づき複数の第３のカラー画像データを生成する色生成手段と、
前記画像読取手段から出力される第１のカラー画像データをモノクロ画像データを生成するモノクロ生成手段と、
前記色識別手段の識別結果により前記色生成手段から出力される複数の第３のカラー画像データまたは前記モノクロ生成手段から出力されるモノクロ画像データを選択する第１の選択手段と、
前記原稿種別判定手段でモノクロ原稿であると判定された場合は、前記モノクロ生成手段から出力されるモノクロ画像データを選択し、前記原稿種別判定手段でフルカラーでないと判定された場合は、前記第１の選択手段の出力を選択し、前記原稿種別判定手段でフルカラー原稿であると判定された場合は、前記色変換手段から出力される第２のカラー画像データを選択する第２の選択手段と、
を具備したことを特徴とする画像処理装置。
【請求項１５】
請求項１乃至６、請求項９乃至１４の何れか１記載の画像処理装置と、
原稿のカラー画像を読取って前記色抽出手段に第１のカラー画像データを出力する画像読取手段と、
前記出力色決定手段からモノクロ画像データが出力された場合は、そのモノクロ画像データに基づき被画像形成媒体上にモノクロの複製画像を形成し、前記出力色決定手段から第２のカラー画像データが出力された場合は、その第２のカラー画像データに基づき前記所定の色成分を用いて被画像形成媒体上にカラーの複製画像を形成する画像形成手段と、
を具備したことを特徴とする画像形成装置。
【請求項１６】
請求項７記載の画像処理装置と、
原稿のカラー画像を読取って前記色抽出手段に第１のカラー画像データを出力する画像読取手段と、
前記出力色決定手段からモノクロ画像データが出力された場合は、そのモノクロ画像データに基づき被画像形成媒体上にモノクロの複製画像を形成し、前記出力色決定手段から第２のカラー画像データが出力された場合は、その第２のカラー画像データに基づき被画像形成媒体上に白色と特定の１色とからなるカラーの複製画像を形成し、前記出力色決定手段から第３のカラー画像データが出力された場合は、その第３のカラー画像データに基づき前記所定の色成分を用いて被画像形成媒体上にフルカラーの複製画像を形成する画像形成手段と、
を具備したことを特徴とする画像形成装置。
【請求項１７】
請求項８記載の画像処理装置と、
原稿のカラー画像を読取って前記色抽出手段に第１のカラー画像データを出力する画像読取手段と、
前記出力色決定手段からモノクロ画像データが出力された場合は、そのモノクロ画像データに基づき被画像形成媒体上にモノクロの複製画像を形成し、前記出力色決定手段から第２のカラー画像データが出力された場合は、その第２のカラー画像データに基づき被画像形成媒体上に黒色と用紙色とからなるカラーの複製画像を形成し、前記出力色決定手段から第３のカラー画像データが出力された場合は、その第３のカラー画像データに基づき前記所定の色成分を用いて被画像形成媒体上にフルカラーの複製画像を形成する画像形成手段と、
を具備したことを特徴とする画像形成装置。
【請求項１８】
原稿画像を読取り画像データを出力する画像読取手段と、
この画像読取手段にて出力される画像データから、読取った原稿が色付下地上に単一色の画像を有するものであると判定する判定手段と、
この判定手段が色付下地上に単一色の画像を有する原稿であると判定した場合、前記画像データに基づいて下地色を排除した単一色で画像形成を行なう画像形成手段と、
を具備したことを特徴とする画像形成装置。
【手続補正２】
【補正対象書類名】明細書
【補正対象項目名】００１９
【補正方法】変更
【補正の内容】
【００１９】
【課題を解決するための手段】
本発明の画像処理装置は、原稿のカラー画像を読取って入力された第１のカラー画像データから前記原稿の色特徴を抽出する色特徴抽出手段と、この色特徴抽出手段で抽出された色特徴から前記原稿に対してモノクロ画像として出力すべき原稿であるかカラー画像として出力すべき原稿であるかを判定する原稿種別判定手段と、この原稿種別判定手段でモノクロ画像として出力すべき原稿であると判定された場合は、前記画像読取手段から出力される第１のカラー画像データをモノクロ画像データとして出力し、前記原稿種別判定手段でカラー画像として出力すべき原稿であると判定された場合は、前記画像読取手段から出力される第１のカラー画像データを所定の色成分に対応した第２のカラー画像データとして出力する出力色決定手段とから構成されている。


【手続補正３】
【補正対象書類名】明細書
【補正対象項目名】００２０
【補正方法】変更
【補正の内容】
【００２０】
また、本発明の画像処理装置は、原稿のカラー画像を読取って入力された第１のカラー画像データから前記原稿の色特徴を抽出する色特徴抽出手段と、この色特徴抽出手段で抽出された色特徴から前記原稿がモノクロ原稿であるか白色と特定の１色とからなるカラー原稿であるかフルカラー原稿であるかを判定する原稿種別判定手段と、この原稿種別判定手段でモノクロ原稿または白色と特定の１色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段とを具備している。


【手続補正４】
【補正対象書類名】明細書
【補正対象項目名】００２１
【補正方法】変更
【補正の内容】
【００２１】
また、本発明の画像処理装置は、原稿のカラー画像を読取って入力された第１のカラー画像データから前記原稿の色特徴を抽出する色特徴抽出手段と、この色特徴抽出手段で抽出された色特徴から前記原稿がモノクロ原稿であるか黒色と用紙色とからなるカラー原稿であるかフルカラー原稿であるかを判定する原稿種別判定手段と、この原稿種別判定手段でモノクロ原稿または黒色と用紙色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段とを具備している。


【手続補正５】
【補正対象書類名】明細書
【補正対象項目名】００２２
【補正方法】変更
【補正の内容】
【００２２】
また、本発明の画像処理装置は、原稿のカラー画像を読取って入力された第１のカラー画像データから前記原稿の色特徴を抽出する色特徴抽出手段と、この色特徴抽出手段で抽出された色特徴から前記原稿がモノクロ原稿であるか白色と特定の１色とからなるカラー原稿であるかフルカラー原稿であるかを判定する原稿種別判定手段と、この原稿種別判定手段でモノクロ原稿であると判定された場合は、前記画像読取手段から出力される第１のカラー画像データをモノクロ画像データとして出力し、前記原稿種別判定手段で白色と特定の１色とからなるカラー原稿であると判定された場合は、前記画像読取手段から出力される第１のカラー画像データを白色と特定の１色とからなる第２のカラー画像データとして出力し、前記原稿種別判定手段でフルカラー原稿であると判定された場合は、前記画像読取手段から出力される第１のカラー画像データを所定の色成分に対応した第３のカラー画像データとして出力する出力色決定手段とを具備している。


【手続補正６】
【補正対象書類名】明細書
【補正対象項目名】００２３
【補正方法】変更
【補正の内容】
【００２３】
また、本発明の画像処理装置は、原稿のカラー画像を読取って入力された第１のカラー画像データから前記原稿の色特徴を抽出する色特徴抽出手段と、この色特徴抽出手段で抽出された色特徴から前記原稿がモノクロ原稿であるか黒色と用紙色とからなるカラー原稿であるかフルカラー原稿であるかを判定する原稿種別判定手段と、この原稿種別判定手段でモノクロ原稿であると判定された場合は、前記画像読取手段から出力される第１のカラー画像データをモノクロ画像データとして出力し、前記原稿種別判定手段で黒色と用紙色とからなるカラー原稿であると判定された場合は、前記画像読取手段から出力される第１のカラー画像データを黒色と用紙色とからなる第２のカラー画像データとして出力し、前記原稿種別判定手段でフルカラー原稿であると判定された場合は、前記画像読取手段から出力される第１のカラー画像データを所定の色成分に対応した第３のカラー画像データとして出力する出力色決定手段とを具備している。


【手続補正７】
【補正対象書類名】明細書
【補正対象項目名】００２４
【補正方法】変更
【補正の内容】
【００２４】
また、本発明の画像処理装置は、原稿のカラー画像を読取って入力された第１のカラー画像データから、その第１のカラー画像データが文字領域か非文字領域かを判定する機能と下地領域か非下地領域かを判定する機能の少なくとも一方を有する領域判定手段と、この領域判定手段で判定された領域ごとに前記原稿の色特徴を表わす濃度ヒストグラム情報を作成するヒストグラム作成手段と、このヒストグラム作成手段で作成された濃度ヒストグラム情報の分布から前記原稿がモノクロ画像として出力すべき原稿であるかカラー画像として出力すべき原稿であるかを判定する原稿種別判定手段と、この原稿種別判定手段でモノクロ画像として出力すべき原稿であると判定された場合は、前記画像読取手段から出力される第１のカラー画像データをモノクロ画像データとして出力し、前記原稿種別判定手段でカラー画像として出力すべき原稿であると判定された場合は、前記画像読取手段から出力される第１のカラー画像データを所定の色成分に対応した第２のカラー画像データとして出力する出力色決定手段とを具備している。


【手続補正８】
【補正対象書類名】明細書
【補正対象項目名】００２５
【補正方法】変更
【補正の内容】
【００２５】
また、本発明の画像処理装置は、原稿のカラー画像を読取って入力された第１のカラー画像データ、その第１のカラー画像データが文字領域か非文字領域かを判定する機能と下地領域か非下地領域かを判定する機能の少なくとも一方を有する領域判定手段と、この領域判定手段で判定された領域ごとに前記原稿の色特徴を表わす濃度ヒストグラム情報を作成するヒストグラム作成手段と、このヒストグラム作成手段で作成された濃度ヒストグラム情報の分布から前記原稿がモノクロ原稿であるか白色と特定の１色とからなるカラー原稿であるかフルカラー原稿であるかを判定する原稿種別判定手段と、この原稿種別判定手段でモノクロ原稿または白色と特定の１色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段とを具備している。


【手続補正９】
【補正対象書類名】明細書
【補正対象項目名】００２６
【補正方法】変更
【補正の内容】
【００２６】
また、本発明の画像処理装置は、原稿のカラー画像を読取って入力された第１のカラー画像データから、その第１のカラー画像データが文字領域か非文字領域かを判定する機能と下地領域か非下地領域かを判定する機能の少なくとも一方を有する領域判定手段と、この領域判定手段で判定された領域ごとに前記原稿の色特徴を表わす濃度ヒストグラム情報を作成するヒストグラム作成手段と、このヒストグラム作成手段で作成された濃度ヒストグラム情報の分布から前記原稿がモノクロ原稿であるか黒色と用紙色とからなるカラー原稿であるかフルカラー原稿であるかを判定する原稿種別判定手段と、この原稿種別判定手段でモノクロ原稿または黒色と用紙色とからなるカラー原稿であると判定された場合は、前記画像読取手段から出力される第１のカラー画像データをモノクロ画像データとして出力し、前記原稿種別判定手段でフルカラー原稿であると判定された場合は、前記画像読取手段から出力される第１のカラー画像データを所定の色成分に対応した第２のカラー画像データとして出力する出力色決定手段とを具備している。


【手続補正１０】
【補正対象書類名】明細書
【補正対象項目名】００２７
【補正方法】変更
【補正の内容】
【００２７】
また、本発明の画像処理装置は、原稿のカラー画像を読取って入力された第１のカラー画像データから、その第１のカラー画像データが下地領域か非下地領域かを判定する領域判定手段と、この領域判定手段で判定された領域ごとに前記原稿の色特徴を表わす濃度ヒストグラム情報を作成するヒストグラム作成手段と、このヒストグラム作成手段で作成された濃度ヒストグラム情報の分布から前記原稿がモノクロ原稿であるか白色と特定の１色とからなるカラー原稿であるかフルカラー原稿であるかを判定する原稿種別判定手段と、前記ヒストグラム作成手段で作成された濃度ヒストグラム情報から前記原稿中の色を識別する色識別手段と、前記画像読取手段から出力される第１のカラー画像データを所定の色成分に対応した第２のカラー画像データに変換する色変換手段と、前記画像読取手段から出力される第１のカラー画像データをモノクロ画像データを生成するモノクロ生成手段と、前記色識別手段の識別結果により前記色変換手段から出力される第２のカラー画像データまたは前記モノクロ生成手段から出力されるモノクロ画像データを選択する第１の選択手段と、前記原稿種別判定手段でモノクロ原稿であると判定された場合は、前記モノクロ生成手段から出力されるモノクロ画像データを選択し、前記原稿種別判定手段で白色と特定の１色とからなるカラー原稿であると判定された場合は、前記色選択手段の出力を選択し、前記原稿種別判定手段でフルカラー原稿であると判定された場合は、前記色変換手段から出力される第２のカラー画像データを選択する第２の選択手段とを具備している。


【手続補正１１】
【補正対象書類名】明細書
【補正対象項目名】００２８
【補正方法】変更
【補正の内容】
【００２８】
また、本発明の画像処理装置は、原稿のカラー画像を読取って入力された第１のカラー画像データから、その第１のカラー画像データが下地領域か文字領域か写真領域かを判定する領域判定手段と、この領域判定手段で判定された領域ごとに前記原稿の色特徴を表わす濃度ヒストグラム情報を作成するヒストグラム作成手段と、このヒストグラム作成手段で作成された濃度ヒストグラム情報の分布から前記原稿がモノクロ原稿であるか白色と特定の１色とからなるカラー原稿であるかフルカラー原稿であるかを判定する機能及び黒色と用紙色とからなるカラー原稿であるかフルカラー原稿であるかを判定する機能の少なくとも一方を有する原稿種別判定手段と、前記ヒストグラム作成手段で作成された濃度ヒストグラム情報から前記原稿中の色を識別する色識別手段と、前記画像読取手段から出力される第１のカラー画像データを所定の色成分に対応した第２のカラー画像データに変換する色変換手段と、前記色識別手段の識別結果に基づき複数の第３のカラー画像データを生成する色生成手段と、前記画像読取手段から出力される第１のカラー画像データをモノクロ画像データを生成するモノクロ生成手段と、前記色識別手段の識別結果により前記色生成手段から出力される複数の第３のカラー画像データまたは前記モノクロ生成手段から出力されるモノクロ画像データを選択する第１の選択手段と、前記原稿種別判定手段でモノクロ原稿であると判定された場合は、前記モノクロ生成手段から出力されるモノクロ画像データを選択し、前記原稿種別判定手段でフルカラーでないと判定された場合は、前記第１の選択手段の出力を選択し、前記原稿種別判定手段でフルカラー原稿であると判定された場合は、前記色変換手段から出力される第２のカラー画像データを選択する第２の選択手段とを具備している。


【手続補正１２】
【補正対象書類名】明細書
【補正対象項目名】００２９
【補正方法】変更
【補正の内容】
【００２９】
また、本発明の画像形成装置は、原稿画像を読取り画像データを出力する画像読取手段と、この画像読取手段にて出力される画像データから、読取った原稿が色付下地上に単一色の画像を有するものであると判定する判定手段と、この判定手段が色付下地上に単一色の画像を有する原稿であると判定した場合、前記画像データに基づいて下地色を排除した単一色で画像形成を行なう画像形成手段と、を具備している。


【手続補正１３】
【補正対象書類名】明細書
【補正対象項目名】００３０
【補正方法】削除
【補正の内容】